(57)【要約】【課題】  通信端末に着信データ再生機能が付加されていなくても、様々な着信音声を再生し、発信者を容易かつ確実に特定できるようにする。【解決手段】  交換機１３は、発信側通信端末１１と着信側通信端末１２との通信回線を強制接続する回線接続手段１３２と、着信側通信端末１２に送信する着信音声を登録する着信音声登録手段１３３と、登録された着信音声を抽出する着信音声抽出手段１３４と、発信側通信端末１１と着信側通信端末１２との回線を接続したときに着信側通信端末１２に着信音声を送信する着信音声送信手段１３５と、を備えた構成としてある。【選択図】  図４
2006115382.tif 000002
【特許請求の範囲】
【請求項１】
任意の通信端末に対して発信を行う発信側通信端末と、任意の通信端末からの発信に対し着信をおこなう着信側通信端末と、前記発信側通信端末と前記着信側通信端末との回線接続を行う交換機と、を備えた着信音声システムであって、
前記交換機は、
前記発信側通信端末と前記着信側通信端末との通信回線を強制接続する回線接続手段と、強制接続した前記着信側通信端末に前記発信側通信端末からの着信音声を送信する着信音声送信手段と、を有し、
前記発信側通信端末は、
前記交換機に着信音声を入力する着信音声入力手段を有し、
前記着信側通信端末は、
前記交換機から送信された着信音声を受信する着信音声受信手段と、前記着信音声を出力する着信音声出力手段と、を有することを特徴とする着信音声システム。
【請求項２】
前記交換機の回線接続手段は、呼出信号の送出をせずに回線を強制接続する請求項１記載の着信音声システム。
【請求項３】
前記交換機は、
強制接続した前記着信側通信端末に送信する着信音声を予め登録する着信音声登録手段と、登録された前記着信音声を抽出する着信音声抽出手段と、強制接続した前記着信側通信端末に前記着信音声抽出手段で抽出された着信音声を送信する登録音声送信手段と、を有し、
前記発信側通信端末は、
前記交換機に登録する着信音声を入力する着信音声入力手段と、当該交換機に登録された二以上の着信音声から一の着信音声を選択する着信音声選択手段と、を有する請求項１記載の着信音声システム。
【請求項４】
発信側通信端末と着信側通信端末との回線接続を行う交換機であって、
前記発信側通信端末と前記着信側通信端末との通信回線を強制接続する回線接続手段と、強制接続した前記着信側通信端末に前記発信側通信端末からの着信音声を送信する着信音声送信手段と、を備えることを特徴とする交換機。
【請求項５】
前記回線接続手段は、呼出信号の送出をせずに回線を強制接続する請求項４記載の交換機。
【請求項６】
強制接続した前記着信側通信端末に送信する着信音声を予め登録する着信音声登録手段と、登録された前記着信音声を抽出する着信音声抽出手段と、強制接続した前記着信側通信端末に前記着信音声抽出手段で抽出された着信音声を送信する登録音声送信手段と、を備える請求項４又は５記載の交換機。
【請求項７】
発信側通信端末と着信側通信端末との回線接続を行う交換機を構成するコンピュータを、
発信側通信端末と着信側通信端末との通信回線を強制接続する回線接続手段、強制接続した着信側通信端末に発信側通信端末からの着信音声を送信する着信音声送信手段、強制接続した着信側通信端末に送信する着信音声を予め登録する着信音声登録手段、登録された着信音声を抽出する着信音声抽出手段、強制接続した着信側通信端末に前記着信音声抽出手段で抽出された着信音声を送信する登録音声送信手段、として機能させるための着信音声プログラム。
【発明の詳細な説明】
【技術分野】
【０００１】
本発明は、携帯電話機に代表される通信端末における着信音声システムに関し、特に、発信側通信端末と着信側通信端末との通信回線を強制的に接続して発信側からの着信音声を着信側の通信端末に強制的に出音させることにより、着信側通信端末に着信音機能や着信データ再生機能が付加されていなくても、これと同様の機能を得えることができ、任意の着信音声によって発信者を容易かつ確実に特定することができる着信音声システムに関する。
【背景技術】
【０００２】
昨今、携帯電話機を代表とする通信端末は、提供される機能及びサービスの充実、通話品質の安定、又は利用料金の低下等によって、その加入者数は年々増加の傾向にある。
また、これに伴い、携帯電話等を利用した犯罪等も増加の一途をたどっている。
例えば、身内を装った詐欺や悪質な勧誘、その他迷惑電話などである。これは、一般の利用者が普通に電話を受けただけでは発信者を容易に特定できないため、犯罪を未然に防止できないことが大きな要因の一つになっている。
また、発信者を特定することの必要性は、犯罪防止のためだけでなく、着信者が着信時に応答すべきか否かといった利便性を向上させるうえで、重要な課題となっている。
【０００３】
そこで、このような問題の解決策として、発信者独自のメロディパターンに応じた着信音を着信者に通知することが可能なシステムが提案されている。これは通信端末が持つ着信音機能を利用したもので、本提案によって発信者の特定が可能となっている。
また、発信側通信端末から交換機を介して呼出信号と音声データを一緒に送信することにより、着信側通信端末で係る音声を着信音として再生できる着信データ再生機能が付加された通信端末が提案されており、これによっても発信者の特定が可能である（例えば、特許文献１、２参照）。
【０００４】
【特許文献１】特開２００２−３００２８４号公報（第１−３頁、図１）
【特許文献２】特開２００２−２４７１４４号公報（第１−２頁、図１）
【発明の開示】
【発明が解決しようとする課題】
【０００５】
しかしながら、以上のような従来提案されている通信端末やシステムであっても、着信側の通信端末に着信音機能や着信データ再生機能が付加されてない場合やその機能に技術的制限がある場合には、発信者独自の音声データ等を受信しても着信側の通信端末ではそれを再生することができず、したがって発信者を特定することもできないといった問題がある。
また、一般的に、着信データ再生機能などを通信端末に付加するのには、高度な技術が必要とされるため、通信端末が高価になるという問題がある。
さらに、緊急時など早急に連絡が必要な場合であっても、従来の通信端末では、着信音を聞いただけでその緊急性を認識することが出来ないという問題がある。
【０００６】
本発明は、以上のような従来の技術が有する問題を解決するために提案されたものであり、発信側通信端末と着信側通信端末との通信回線を強制的に接続して発信側からの着信音声を着信側の通信端末に強制的に出音させることにより、着信側通信端末に着信音機能や着信データ再生機能が付加されていなくても、これと同様の機能を得えることができ、任意の着信音声によって発信者を容易かつ確実に特定することができる着信音声システム。
【課題を解決するための手段】
【０００７】
上記目的を達成するため、本発明の着信音声システムは、請求項１に記載するように、任意の通信端末に対して発信を行う発信側通信端末と、任意の通信端末からの発信に対し着信をおこなう着信側通信端末と、前記発信側通信端末と前記着信側通信端末との回線接続を行う交換機と、を備えた着信音声システムであって、前記交換機は、前記発信側通信端末と前記着信側通信端末との通信回線を強制接続する回線接続手段と、強制接続した前記着信側通信端末に前記発信側通信端末からの着信音声を送信する着信音声送信手段と、を有し、前記発信側通信端末は、前記交換機に着信音声を入力する着信音声入力手段を有し、前記着信側通信端末は、前記交換機から送信された着信音声を受信する着信音声受信手段と、前記着信音声を出力する着信音声出力手段と、を有する構成としてある。
【０００８】
特に、本発明の着信音声システムは、請求項２に記載するように、前記交換機の回線接続手段は、呼出信号の送出をせずに回線を強制接続する構成としてある。
そして、本発明の着信音声システムは、請求項３に記載するように、前記交換機は、強制接続した前記着信側通信端末に送信する着信音声を予め登録する着信音声登録手段と、登録された前記着信音声を抽出する着信音声抽出手段と、強制接続した前記着信側通信端末に前記着信音声抽出手段で抽出された着信音声を送信する登録音声送信手段と、を有し、前記発信側通信端末は、前記交換機に登録する着信音声を入力する着信音声入力手段と、当該交換機に登録された二以上の着信音声から一の着信音声を選択する着信音声選択手段と、を有する構成としてある。
【０００９】
このような構成からなる本発明の着信音声システムによれば、発信側通信端末から呼が発生し、その対象となる着信側通信端末が検知されると、強制的に着信側通信端末との通信回線を接続する。そして、利用者が交換機に予め登録した音楽やメッセージ等の音声の中から任意の音声が選択，抽出され、着信側通信端末に送信され、あるいは、発信側通信端末を通して送信された音声がそのまま着信音声として着信側通信端末に送信される。
これにより、着信側通信端末では送信された音声をそのまま着信音声として出力することができ、着信側通信端末に着信音声機能や着信データ再生機能等が備えられていなくても、発信者側で所望する様々な音声を着信音声として使用することができる。
【００１０】
このため、着信側通信端末の再生機能に制限されることなく任意の着信音声の送信，出力が可能となり、着信側通信端末の機能や構成を単純化でき、安価な端末機の提供が可能となる。
そして、これら着信音声については、発信者特有のユニークな音声を登録することができるため、着信者は容易かつ確実に発信者の特定が可能となる。
しかも、本システムでは、呼出信号の送出及びこれに対する応答を経ずに、強制的に通信回線を接続することができるので、緊急を要する場合等、迅速かつ適切な音声通知が可能となり、通信ネットワークの利便性を高めることができる。
【００１１】
ここで、本システムに係る発信側通信端末は、予め交換機の着信音声登録手段である音声サーバ等にアクセスし、音楽やメッセージ等の音声を複数入力して登録することができ、また、登録された音声の中から任意の音声を選択し着信側通信端末へ送信することができる。さらに、着信音声の追加登録や選択も可能であり、より利便性の高い着信機能を実現できるようになっている。
そして、これら着信音声については発信者特有のユニークな音声を入力することができるため、着信者は容易に発信者の特定が可能となる。
【００１２】
また、発信側通信端末は、発信者が通信端末を通して話した内容が直接受信側通信端末に送信され、着信音声として出力することもできるので、自らの声を着信音声として使用することができる。これによって、特に、発信者が緊急に連絡を取りたいときや通知したいときには、発信側通信端末から直接話した言葉を着信者が聞くことが可能となり、より効果的に本発明に係る着信音声システムを利用することができる。
【００１３】
なお、本発明の通信端末は、発信側通信端末による呼出の対象となる着信側通信端末であって、前記音声出力手段が、既存の呼出音を出力させる呼出音出力部及び／又は、既存の発信側通信端末からの音声を出力させる会話音出力部とすることができる。
このように、着信側通信端末は既存の通信端末の構成部分である呼出音出力部や会話音出力部を利用して着信音声を出力させることができるので、既存の通信端末の部品を本発明の通信端末に利用でき、安価で汎用性の高し着信音声システムの提供が可能となる。
【００１４】
また、本発明の交換機は、請求項４に記載するように、発信側通信端末と着信側通信端末との回線接続を行う交換機であって、前記発信側通信端末と前記着信側通信端末との通信回線を強制接続する回線接続手段と、強制接続した前記着信側通信端末に前記発信側通信端末からの着信音声を送信する着信音声送信手段と、を備える構成としてある。
【００１５】
特に、本発明の交換機は、請求項５に記載するように、前記回線接続手段は、呼出信号の送出をせずに回線を強制接続する構成としてある。
さらに、本発明の交換機は、請求項６に記載するように、強制接続した前記着信側通信端末に送信する着信音声を予め登録する着信音声登録手段と、登録された前記着信音声を抽出する着信音声抽出手段と、強制接続した前記着信側通信端末に前記着信音声抽出手段で抽出された着信音声を送信する登録音声送信手段と、を備える構成としてある。
【００１６】
このような構成からなる交換機によれば、予め任意の音楽やメッセージ等の音声を登録しておき、発信側通信端末から呼が発生し、その対象となる着信側通信端末が検知されると、強制的に着信側通信端末との通信回線を接続するとともに、予め交換機に登録してあった着信音声を自動的に送信し、又は、発信側通信端末を通して送信された音声をそのまま着信音声として着信側通信端末から送信する。
これにより、着信側通信端末では、交換機から送信された音声をそのまま着信音声として出力することが可能となり、着信側通信端末の再生機能に制限されず、信側通信端末に着信音機能や着信データ再生機能が付加されていなくても、様々な音声を着信音声として使用することができる。
これにより、着信側通信端末の機能や構成を単純化でき、安価な端末機の提供が可能となる。また、この着信音声は、発信者特有のユニークな音声を登録することができるため、着信者は容易に発信者の特定が可能となる。
さらに、交換機は、呼出信号の送出及びこれに対する応答を経ずに、強制的に通信回線を接続することができるので、緊急を要する場合等、迅速かつ適切な音声通知が可能となり、通信ネットワークの利便性を高めることができる。
【００１７】
また、本発明は着信音声プログラムとしても提供することができる。すなわち、本発明は、請求項７に記載するように、発信側通信端末と着信側通信端末との回線接続を行う交換機を構成するコンピュータを、発信側通信端末と着信側通信端末との通信回線を強制接続する回線接続手段、強制接続した着信側通信端末に発信側通信端末からの着信音声を送信する着信音声送信手段、強制接続した着信側通信端末に送信する着信音声を予め登録する着信音声登録手段、登録された着信音声を抽出する着信音声抽出手段、強制接続した着信側通信端末に前記着信音声抽出手段で抽出された着信音声を送信する登録音声送信手段、として機能させるための着信音声プログラムとして提供することができる。
このように本発明はプログラムとしても提供することができる。
これにより、固定電話機や既存の携帯電話機の他、ＰＤＡ，パーソナルコンピュータ等の音声通信機能を備えた情報処理装置にプログラムをインストールすることによっても本発明を実現することができ、汎用性，拡張性に優れた通信端末として提供することができる。
【発明の効果】
【００１８】
以上のように、本発明の着信音声システムによれば、発信側通信端末と着信側通信端末との通信回線を強制的に接続して発信側からの着信音声を着信側の通信端末に強制的に出音させることにより、着信側通信端末に着信音機能や着信データ再生機能が付加されていなくても、予め登録した音楽やメッセージ等の様々な音声をそのまま着信音声として出力させることができる。
これにより、着信側通信端末の機能や構成を単純化できるため安価な端末機の提供が可能となる。
また、これらの着信音は発信者特有のユニークな音声等を登録し、その中から任意に選んで送信することができるため、着信者は発信者の特定が容易となり、通信ネットワークの利便性をより一層高める事が出来る。
さらに、強制的に通信回線を接続することができるため、緊急時等、任意の通信端末に対し迅速かつ適切な音声通知が可能となる。
【発明を実施するための最良の形態】
【００１９】
以下、本発明の着信音声システムの好ましい実施形態について図面を参照して説明する。
［第一実施形態］
図１は、本発明の第一実施形態に係る着信音声システムの概略構成図であり、図２は、発信側通信端末、着信側通信端末、交換機のブロック図である。
着信音声システム１は、発信側通信端末１１、着信側通信端末１２、交換機１３および音声サーバ１４を有する。
【００２０】
発信側通信端末１１は、図２（ａ）に示すように、通信手段１１１、着信音声入力手段１１２、着信音声選択手段１１３、着信音声送信手段１１４，記憶手段１１５、制御手段１１６を有する。
通信手段１１１は、着信音声を着信側通信端末１２へ送信し、また、着信側通信端末との通話の送受信を行う手段である。
着信音声入力手段１１２は、交換機１３の音声サーバ１４に音声を入力するための手段である。これにより、発信側通信端末１１から音声サーバ１４に着信音声を登録することができる。
着信音声選択手段１１３は、音声サーバ１４に登録した複数の音声から、着信側通信端末１２へ送信する音声を選択する手段である。これにより、音声サーバ１４に登録されている複数の音声のうち着信側通信端末１２へ送信する音声を特定し、また、変更することができる。
【００２１】
着信音声送信手段１１４は、着信音声選択手段１１３により選択された音声を着信音声として着信側通信端末１２へ送信する手段である。
記憶手段１１５は、発信側通信端末１１の有する各種機能を実行するためのプログラムを格納しておくための手段である。例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などで構成することができる。
制御手段１１６は、記憶手段１１５に格納されているプログラムを読み込んで実行することにより、発信側通信端末１１の各構成部に指令を送り、又は自ら動作して、発信側通信端末１１の有する各種機能を実行又は制御する手段である。例えば、ＣＰＵ（Ｃｅｎｔｏｒａｌ  Ｐｒｏｃｅｅｓｓｉｎｇ  Ｕｎｉｔ）などで構成することができる。
【００２２】
着信側通信端末１２は、図２（ｂ）に示すように、通信手段１２１、着信音声受信手段１２２、着信音声出力手段１２３、記憶手段１２４、制御手段１２５を有する。
通信手段１２１は、発信側通信端末１１から送信される着信音声や交換機１３から送信される着信音声を受信し、また、発信側通信端末１１との通話の送受信を行う手段である。
着信音声受信手段１２２は、通信手段１２１を介し、交換機１３又は発信側通信端末１１から送信された音声を受信する手段である。
着信音声出力手段１２３は、着信音声受信手段１２２によって受信した着信音声を出力する手段である。
【００２３】
記憶手段１２４は、着信側通信端末１２の有する各種機能を実行するためのプログラムを格納しておくための手段である。
制御手段１２５は、記憶手段１２４に格納されているプログラムを読み込んで実行することにより、着信側通信端末１２の各構成部に指令を送り、又は自ら動作して、着信側通信端末１２の有する各種機能を実行又は制御する手段である。
【００２４】
なお、一般に通信端末は、発着信兼用であるので、上述の発信側通信端末１１及び着信側通信端末１２のそれぞれが有する両方の手段を併せ持つ構成となっている。
また、これら通信端末は携帯電話機が代表的であるが、これに限られず、例えば、固定電話機、ＰＨＳ、ＰＤＡ、ノートパソコンなど音声通信可能な情報通信装置であればよい。
【００２５】
交換機１３は、発信側通信端末１１と着信側通信端末１２との回線を接続するための装置であり、交換機１３の内部には音声サーバ１４を有する。なお、音声サーバ１４は、交換機１３の外部にあって通信回線で接続された構成であってもよい。
音声サーバ１４は、着信側通信端末１２に送信する着信音声をあらかじめ設定し登録しておくものである。
具体的には、音声サーバ１４には、発信側通信端末１１から送信された音楽、音声メッセージ等の音声を登録することができる。
【００２６】
また、音声サーバ１４は、発信側通信端末１１から送信，指定された音声以外にも、例えば、広告音声や緊急警報音声を登録することもできる。このようにすると、音声サーバ１４を広告音声サーバや警報サーバとして使用することができ、予め登録した広告メッセージや非常時の警報音声等を送信して、着信側通信端末１２からそのまま出力させることが可能となる。このようにすると、広告音声サーバに広告メッセージを登録する広告主から広告料を徴収し、その一部を通信端末の利用者に還元することができる。また、地震等が発生して津波のおそれがあるような場合に、海岸周辺のある着信側端末１２に緊急警報を送信することで、迅速な非難を促すことができる（後述する第三実施形態参照）。
【００２７】
交換機１３は、図２（ｃ）に示すように、通信手段１３１、回線接続手段１３２、着信音声登録手段１３３、着信音声抽出手段１３４、着信音声送信手段１３５、記憶手段１３６、制御手段１３７を有する。
通信手段１３１は、発信側通信端末１１と着信側通信端末１２との通話の中継を行う手段である。また、発信側通信端末１１から送信される着信音声を中継して着信側通信端末１２に送信する手段でもある。
【００２８】
回線接続手段１３２は、発信側通信端末１１と着信側通信端末１２の通信回線を接続する手段である。
ここで、本実施形態の回線接続手段１３２は、発信側通信端末１１から呼が発生し、その対象となる着信側通信端末１２が検知されると、呼出信号の送出をせずに、着信側通信端末１２が呼出に応じない場合でも、発信側通信端末１１と着信側通信端末１２との通信回線を強制接続するようになっている。
具体的には、交換機１３から着信側通信端末１２に対して強制接続であるという通知を行い、着信側通信端末１２が交換機１３に対して準備完了の通知を行うと、交換機１３は発信側通信端末１１と着信側通信端末１２との通信回線を接続する。
【００２９】
着信音声登録手段１３３は、発信側通信端末から入力された音声を音声サーバ１４に登録する手段である。
着信音声抽出手段１３４は、音声サーバ１４に登録された複数の音声から着信側通信端末１２に送信する音声を選択する手段である。
着信音声送信手段１３５は、着信音声抽出手段１３４によって抽出された音声を着信側通信端末に送信する手段である。
記憶手段１３６は、交換機１３の有する各種機能を実行するためのプログラムを格納しておくための手段である。
制御手段１３７は、記憶手段１３６に格納されているプログラムを読み込んで実行することにより、交換機１３の各構成部に指令を送り、又は自ら動作して、交換機１３の有する各種機能を実行又は制御する手段である。
【００３０】
次に、交換機１３の音声サーバ１４への着信音声の登録方法及び着信音声の選択方法について、図３のフローチャートに用いて説明する。
まず、発信側通信端末１１から音声サーバ１４にアクセスする（ステップＳ１）。アクセス方法としては、特定の番号（例えば、０３−ＸＸＸＸ−ＹＹＹＹ）をダイヤルする事によって可能となる。
次に音声サーバ１４から発信側通信端末に対し認証が行われる。これはアクセスした者が適切な利用対象者が否かを確認する為のものであり、具体的には、電話番号や暗証番号等の識別情報を音声案内によって発信者に問い、発信者がこれら必要な情報を入力することによって行われる（ステップＳ２）。
例えば、音声サーバ１４からは、「ピーという発信音の後に、ご使用中の電話の電話番号と暗証番号を続けて入力ください。」といった音声案内が送信側通信端末１１に対して流され、発信者はその案内に従って入力を行うこととなる。なお、電話番号については、通信事業者が提供する発信者番号通知サービス等を利用することでその入力を省略することも可能である。また、ＳＩＭ（Ｓｕｂｓｃｒｉｂｅｒ  Ｉｄｅｎｔｉｔｙ  Ｍｏｄｕｌｅ）やＵＩＭ（Ｕｓｅｒ  Ｉｄｅｎｔｉｔｙ  Ｍｏｄｕｌｅ）などのＩＣカードを用いて自動的に利用者の識別を行っても良い。
【００３１】
ここで一定時間内に所定の番号を入力しなかった場合や、誤った暗証番号等を入力した場合は、あらためて再入力の機会が与えられる（ステップＳ３）。再入力の回数は、予め定められており（ステップＳ４）、再入力が所定の回数を超えた場合は回線が強制的に切断される（ステップＳ５）。
【００３２】
次に、着信音声の入力を発信側通信端末１１によって行う（ステップＳ６）。上述の認証と同様、発信者は音声サーバ１４からの音声案内に従って所定の情報を入力する。例えば「ピーをいう発信音の後に、５秒以内の着音メッセージを入れ、最後に＃（シャープ）を押してください。」といった案内が流れる。ここで発信者は、自分が着信音声として伝えたい内容を、発信側通信端末１１に向かって話しかければよい。
また、予めＣＤやＭＤ等の音楽媒体から、または、所定のＷｅｂサイトからダウンロードした音楽情報等をメモリーカード等の内部又は外部の記憶装置に一旦記憶させ、外部記憶装置の場合はこれを発信側通信端末１１に接続し、音声サーバ１４にアップロードして入力する方法も可能である。
以上により着信音声の登録は完了する（ステップＳ７）。
なお、ここでは複数の着信音声を音声サーバ１４に登録しておくことができる。
また、上述したように、音声サーバ１４には、発信側通信端末１１から送信，指定された音声以外にも、広告音声や緊急警報音声を登録することもできる。
【００３３】
次に、音声サーバ１４に複数の着信音声が登録されているか否かを確認する（ステップＳ８）。
着信音声が一つだけ音声サーバ１４に登録されている場合には、自動的にその着信音声が選択される（ステップＳ８、Ｓ１２）。
一方、複数の着信音声が登録されている場合には、現在選択されている着信音声を変更するか否かを発信者が選択する（ステップＳ９）。
【００３４】
着信音声を変更するのであれば、以前に登録した着信音声を再生させ、その中から一つを選択する（ステップＳ１０、Ｓ１１）。この再生及び選択の方法としては、所定の操作により新たに登録されたものから一つずつ順番に再生し、その中から好みの音声を選択する方法や、登録済み音声に関連づけられた番号等を直接指定して再生し選択する方法など、様々な方法を採ることが出来る。
以上のステップを経て、着信音声が決定される（ステップＳ１２）。
なお、登録した着信音声は利用者が好きな時に変更することができる。具体的には、ステップＳ１と異なる所定の番号（例えば、０３−ＸＸＸＸ−ＺＺＺＺ）にダイヤルすることによって、音声サーバ１４の着信音声選択手順に直接アクセスすることができる（ステップＳ１３）。そしてステップＳ９からの手順にそった操作を行うことで着信音声を変更することができる。
【００３５】
次に、本発明の第一実施形態に係る着信音声システムの制御にかかるシーケンスを図４にもとづいて説明する。
まず、発信側通信端末１１から呼が発生する（ステップＳ２１）と、これを検知した発信側交換機１３ａは発信側通信端末１１に対し発信音を送信する（ステップＳ２２）。具体的には、受話器をあげることにより呼が発生し、いまから通信が開始することを発信側交換機１３ａに事前に知らせる役割をもつものである。
そして、発信側交換機１３ａは発信音を送信することで、発信側通信端末１１からのダイヤル受信の準備が出来ていることを通知するものである。
【００３６】
次に、発信側通信端末１１は通信を行いたい通信端末の電話番号をダイヤルする（ステップＳ２３）。
このダイヤルを発信側交換機１３ａが受信すると、発信側交換機１３ａは適切な方路を検索しその方路の交換機に対し選択信号を送出する（ステップＳ２４）。選択信号は発信側通信端末１１から受信したダイヤルにもとづく番号情報であり、接続先を特定するためのものである。選択信号を受けた次の交換機は、選択信号を構成する番号情報をもった通信端末が自局にいるかどうかを検索し、いなければ同様に次の方路の交換機に対し選択信号を送る。
【００３７】
このような過程を経て前記選択信号を受けた着信側交換機１３ｂにおいて、該当する着信側通信端末１２が検知されると（ステップＳ２５）、着信側交換機１３ｂは着信側通信端末１２と発信側交換機１３ａの間の通信回線を接続する（ステップＳ２６）。このとき、着信側交換機１３ｂは、呼出信号の送出をせずに、着信側通信端末１２が呼出に応じない場合でも、発信側通信端末１１と着信側通信端末１２との通信回線を強制的に接続する。
なお、このときに着信側通信端末１２が話中の場合や、電源が入ってない場合等は、発信側交換機１３ａは発信側通信端末１１に対し、話中音や音声メッセージ等を送信し、回線が接続できないことを伝える。
【００３８】
通信回線が接続されるとすぐに発信側交換１３ａは、当該交換機に登録された着信音声を着信側通信端末１２に送信し（ステップＳ２８）、同時に、発信側通信端末１１に対しては呼出音を送出する（ステップＳ２７）。
発信側交換機１３ａから送信された着信音声は着信側通信端末１２で受信され（ステップＳ２９）、出力される（ステップＳ３０）。
そして、この着信音声を聞いた者が所定の操作により応答すると（ステップＳ３１）、発信側交換機１３ａは着信音声と呼出音の送信を同時に停止し（ステップＳ３２）、発信側通信端末１１と着信側通信端末１２との間で通話が出来るようになる（ステップＳ３３）。
【００３９】
以上説明したように、本実施形態の着信音声システムによれば、発信側通信端末１１から呼が発生し、その対象となる着信側通信端末１２が検知されると、強制的に着信側通信端末１１との通信回線を接続する。そして、利用者が交換機１３に予め登録した音楽やメッセージ等の音声の中から任意の音声が選択，抽出され、着信側通信端末１２に送信され、あるいは、発信側通信端末１１を通して送信された音声がそのまま着信音声として着信側通信端末１２に送信される。
これにより、着信側通信端末１２では送信された音声をそのまま着信音声として出力することができ、着信側通信端末１２に着信音声機能や着信データ再生機能等が備えられていなくても、発信者側で所望する様々な音声を着信音声として使用することができる。
【００４０】
このため、着信側通信端末１２の再生機能に制限されることなく任意の着信音声の送信，出力が可能となり、着信側通信端末１２の機能や構成を単純化でき、安価な端末機の提供が可能となる。
そして、これら着信音声については、発信者特有のユニークな音声を登録することができるため、着信者は容易かつ確実に発信者の特定が可能となる。
しかも、本システムでは、呼出信号の送出及びこれに対する応答を経ずに、強制的に通信回線を接続することができるので、緊急を要する場合等、迅速かつ適切な音声通知が可能となり、通信ネットワークの利便性を高めることができる。
【００４１】
［第二実施形態］
次に、図５及び図６を参照して、本発明に係る着信音声システムの第二実施形態について説明する。
図５は、第二実施形態に係る着信音声システムの概略構成図であり、図６はその制御にかかるシーケンスを示す図である。
本実施形態は、図５に示すように、発信側通信端末１１ａ、着信側通信端末１２ａ、交換機１３、発信側基地局１５及び着信側基地局１６を有する。
【００４２】
本実施形態における発信側通信端末１１ａ及び着信側通信端末１２ａは携帯電話としているが、それぞれ図２（ａ）及び（ｂ）で示す手段と同じ手段を有するものである。また、交換機１３についても図２（ｃ）で示す手段と同じ手段を有するものである。したがい、これらについては第一実施形態の場合と同様なのでここでの説明は割愛する。
発信側基地局１５及び着信側基地局１６は、交換機１３と各通信端末との中間に位置し、各通信端末とは無線によって、交換機とは有線によって接続され通信を行うものである。
【００４３】
前述の第一実施形態では交換機１３から着信音声が送信されたのに対し、本実施形態においては発信側通信端末１１ａから着信音声が送信されるところに特徴を有する構成となっている。
具体的には図６を参照しつつ説明する。
【００４４】
まず、発信側通信端末１１ａから呼が発生する（ステップＳ４１）と、これを検知した交換機１３ａは発信側通信端末１１ａに対し発信音を送信する（ステップＳ４２）。具体的には、受話器をあげることにより呼が発生し、いまから通信が開始することを交換機に事前に知らせる役割をもつものである。そして、発信側交換機１３ａは発信音を送信することで、通信端末からのダイヤル受信の準備が出来ていることを通知するものである。
次に、発信側通信端末１１ａは通信を行いたい通信端末の電話番号をダイヤルする（ステップＳ４３）。
このダイヤルを交換機１３ａが受信すると、交換機１３ａは適切な方路を検索しその方路の交換機に対し選択信号を送出する（ステップＳ４４）。選択信号は発信側通信端末１１ａから受信したダイヤルにもとづく番号情報であり、接続先を特定するためのものである。選択信号を受けた次の交換機は、選択信号を構成する番号情報をもった通信端末が自局にいるかどうかを検索し、いなければ同様に次の方路の交換機に対し選択信号を送る。
【００４５】
このような過程を経て前記選択信号を受けた交換機１３ｂにおいて、該当する着信側通信端末１２ａが検知されると（ステップＳ４５）、交換機１３ｂは着信側通信端末１２ａと交換機１３ａの間の通信回線を接続する（ステップＳ４６）。このとき、着信側交換機１３ｂは、呼出信号の送出をせずに、着信側通信端末１２ａが呼出に応じない場合でも、発信側通信端末１１ａと着信側通信端末１２ａとの通信回線を強制的に接続する。
なお、このときに着信側通信端末１２ａが話中の場合や、電源が入ってない場合等は、交換機１３ａは発信側通信端末１１ａに対し、話中音や音声メッセージ等を送信し、回線が接続できないことを伝える。
【００４６】
回線接続がされると、通話モードにはいり、発信側通信端末１１ａと着信側通信端末１２ａの間の通話路が確立される（ステップＳ４７）。
そして、発信側通信端末１１ａからの音声が着信音声として着信側通信端末１２ａへ送信される（ステップＳ４８）。
このようにして発信側通信端末１１ａから送信された着信音声は着信側通信端末１２ａで受信され（ステップＳ４９）、出力される（ステップＳ５０）。
そして、この着信音声を聞いた者が所定の操作により応答すれば（ステップＳ５１）、発信側通信端末１１ａと着信側通信端末１２ａとの間で通話が出来る（ステップＳ５２）。
なお、本実施形態における基地局の制御機能については、主に交換機と各通信端末との中継機能を有するだけなので、ここでの説明は省略した。
【００４７】
以上説明したように、本実施形態の着信音声システムによれば、第一実施形態と同様に、発信側通信端末１１ａと着信側通信端末１２ａとの通信回線を強制的に接続して発信側からの着信音声を着信側の通信端末に強制的に出音させることができる。
これにより、着信側通信端末１２ａに着信音機能や着信データ再生機能が付加されていなくても、また、予め交換機の音声サーバに音声を登録していなくても、発信側通信端末１１ａからの音声を着信音声としてそのまま出力させることができる。したがって、着信側通信端末１２ａの機能や構成を単純化できるため安価な端末機の提供が可能となり、また、発信者の音声を送信できるので発信者の特定が容易になる。また、発信側通信端末１１ａと着信側通信端末１２ａの間の通信回線を強制的に接続することができるため、緊急時等、任意の通信端末に対し、適切かつ迅速な音声通知が可能となる。
【００４８】
［第三実施形態］
さらに、図７を参照して、本発明に係る着信音声システムの第三実施形態について説明する。
本実施形態は、災害時の緊急通報システムとして、本発明の着信音システムを応用させたものである。
図７は、第三実施形態に係る着信音声システムの概略構成図である。
本実施形態は、図７に示すように、着信側通信端末１２ａ、交換機１３、緊急通報サーバ１４ａ、および着信側基地局１６を有する。
【００４９】
本実施形態における着信側通信端末１２ａは携帯電話としているが、図２（ｂ）で示す手段と同じ手段を有するものである。また、交換機１３についても図２（ｃ）で示す手段と同じ手段を有するものである。従って、これらについては第一実施形態の場合と同様なのでここでの説明は省略する。
なお、着信側基地局１６は第二実施形態と同様、交換機１３と着信側通信端末１２ａとの中間に位置し、中継機能を備えたものである。
【００５０】
緊急通報サーバ１４ａは、上述した第一実施形態における音声サーバ１４と同様の手段を有するものである。
但し、第一実施形態においては登録する音声は一般の利用者によって入力されるのに対し、本実施形態においては災害時の緊急通報を目的としているため、緊急通報サーバ１４ａは所定の関係者によってのみ登録が可能となっている。
具体的には、緊急通報サーバ１４ａは、災害にかかる緊急通報や警報となる音声メッセージを登録してある。
例えば、緊急通報サーバ１４ａは、津波警報として、「津波警報がでております。すぐに海岸から離れ避難してください。」といった音声を登録しておく。そして、実際に津波警報が発せられた場合には、関係者の所定の操作により又は自動的に、該当する基地局の無線ゾーンに属する全ての通信端末に対して個別又は一斉にこの音声が送信されることとなる。
【００５１】
これは携帯電話システムの特徴でもあるＨＬＲ（Ｈｏｍｅ
Ｌｏｃａｔｉｏｎ Ｒｅｓｉｓｔｅｒ）を応用したものである。ＨＬＲでは各通信端末（移動端末）の位置情報がリアルタイムに更新され、どの通信端末がどの基地局のゾーンにいるかといったことを常時把握できる仕組みとなっている。
そして、本実施形態においても、交換機１３は、対象となる着信側通信端末１２ａが検知されると、呼出信号の送出をせずに、着信側通信端末１２ａが呼出に応じない場合でも、回線を強制接続して、所定の警報音声を送信するようになっている。
【００５２】
以上のような本実施形態に係る着信音声システムによれば、携帯電話システムと組み合わせることにより、特定の地域に天災等が発生した場合に、当該地域に存在する通信端末利用者に通知する手段として、これまでの緊急通報システムに代わる有効なシステムとなるものである。
【００５３】
以上、本発明の着信音声システムについて、好ましい実施形態を示して説明したが、本発明にかかる着信音声システムは、上述した実施形態にのみ限定されるものではなく、本発明の範囲で種々の変更実施が可能であることは言うまでもない。
例えば、本発明の着信音声システムは、着信側通信端末が通話中の場合等におけるコールウェイティングメッセージとして使用されるものであっても良い。
また、一定のマナーやルールを遵守するため、着信側通信端末の所定操作により、本発明の着信音声システムに代えて、従来の通信端末が有するバイブレーション着信機能や光着信機能等を選択できるシステムであっても良い。
そして、通信端末は、固定電話機、携帯電話機、ＰＨＳ、ＰＤＡ、ノートパソコンなど音声通信可能な情報通信装置であればよい。
【図面の簡単な説明】
【００５４】
【図１】本発明の第一実施形態に係る着信音声システムの構成図である。
【図２】本発明の第一実施形態に係る着信音声システムにおける発信側通信端末、着信側通信端末、交換機のブロック図である。
【図３】本発明の第一実施形態に係る着信音声システムにおける着信音声の登録及び着信音声の選択を示すフローチャートである。
【図４】本発明の第一実施形態に係る着信音声システムにおける発呼から通話までの制御を示すシーケンス図である。
【図５】本発明の第二実施形態に係る着信音声システムの構成図である。
【図６】本発明の第二実施形態に係る着信音声システムにおける発呼から通話までの制御を示すシーケンス図である。
【図７】本発明の第三実施形態に係る着信音声システムの構成図である。
【符号の説明】
【００５５】
１  着信音声システム
１１  発信側通信端末
１１ａ  発信側通信端末（携帯電話）
１２  着信側通信端末
１２ａ  着信側通信端末（携帯電話）
１３  交換機
１３ａ  発信側交換機
１３ｂ  着信側交換機
１４  音声サーバ
１４ａ  緊急通報サーバ
１５  発信側基地局
１６  着信側基地局
【図１】
2006115382.tif 000003
【図２】
2006115382.tif 000004
【図３】
2006115382.tif 000005
【図４】
2006115382.tif 000006
【図５】
2006115382.tif 000007
【図６】
2006115382.tif 000008
【図７】
2006115382.tif 000009